【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
中空ボディを備え、
前記中空ボディは、
打撃フェースを有するフロント部と、
ヒール部と、
前記ヒール部の反対側のトウ部と、
ソール部と、
リア部と、
クラウン部と、
前記フロント部と前記クラウン部との間に延び、内面と外面とを有し、前記クラウン部のヒンジ点を画定するチャンファと、
前記打撃フェースから前記ソール部までに位置する内径遷移部であって、
前記打撃フェースに隣接する第１の層と、
前記第１の層に隣接する第２の層と、
前記第２の層に隣接する第３の層と、
前記第１の層と前記第２の層の間に位置する第１の層遷移領域と、
前記第２の層と前記第３の層の間に位置する第２の層遷移領域と、を備える前記内径遷移部と、を備え、
前記第１の層は、第１の実質的一定厚さを有し、
前記第２の層は、前記第１の実質的一定厚さよりも薄い第２の実質的一定厚さを有し、
前記第３の層は、前記第１の実質的一定厚さ及び前記第２の実質的一定厚さよりも薄い第３の実質的一定厚さを有し、
前記内径遷移部は、前記ゴルフクラブベッドの外側から見えない、ゴルフクラブヘッド。
【請求項２】
前記ゴルフクラブヘッドは、ドライバであり、前記チャンファは、
約０．７５インチ乃至約４．５０インチの幅と、
約０．１５インチ乃至約０．２５インチの長さと、
約０．０９５インチ乃至約０．１５０インチの最大厚さと、を有し、
前記最大厚さは、前記チャンファの内面と外面との間で測定される、請求項１に記載のゴルフクラブヘッド。
【請求項３】
前記ゴルフクラブヘッドは、フェアウェイウッドであり、前記チャンファは、
約０．７５インチ乃至約３．５０インチの幅と、
約０．０５インチ乃至約０．２５インチの長さと、
約０．０２５インチ乃至約０．０７０インチの最大厚さと、を有し、前記最大厚さは、前記チャンファの内面と外面との間で測定される、請求項１に記載のゴルフクラブヘッド。
【請求項４】
前記チャンファに隣接する部分で測定される前記クラウンの厚さに対する前記最大厚さの比率は、約１．１５乃至３．００である、請求項２に記載のゴルフクラブヘッド。
【請求項５】
前記チャンファに隣接する部分で測定される前記クラウンの厚さに対する前記最大厚さの比率は、約１．１５乃至４．００である、請求項３に記載のゴルフクラブヘッド。
【請求項６】
前記打撃フェースは、ロフト面を画定し、前記ヒンジ点は、前記ロフト面に垂直な方向に少なくとも約０．１６インチだけ前記ロフト面から離間されている、請求項１から５のいずれか一項に記載のゴルフクラブヘッド。
【請求項７】
前記チャンファは、前記チャンファの前記内面に接する平面を画定し、前記チャンファ面とロフト面との間の角度は、約４５°である、請求項１から６のいずれか一項に記載のゴルフクラブヘッド。
【請求項８】
前記チャンファがないクラブヘッドに比べて、インパクト時のゴルフボールのスピンが１００乃至４００ｒｐｍ低減される、請求項１から７のいずれか一項に記載のゴルフクラブヘッド。
【請求項９】
前記打撃フェースの表面粗さは、１１０Ｒａ乃至１９０Ｒａである、請求項１から８のいずれか一項に記載のゴルフクラブヘッド。
【請求項１０】
中空ボディヘッドを備え、
前記中空ボディヘッドは、
打撃フェースを有するフロント部と、
ヒール部と、
前記ヒール部の反対側のトウ部と、
ソール部と、
リア部と、
クラウン部と、
前記フロント部と前記クラウン部との間に延び、内面と外面とを有し、前記クラウン部のヒンジ点を画定するチャンファと、を備える前記中空ボディヘッドと、
前記中空ボディヘッドに連結されているシャフトと、
前記打撃フェースから前記ソール部に向かう内径遷移部であって、
前記打撃フェースに隣接する第１の層と、
前記第１の層に隣接する第２の層と、
前記第２の層に隣接する第３の層と、
前記第１の層と前記第２の層の間に位置する第１の層遷移領域と、
前記第２の層と前記第３の層の間に位置する第２の層遷移領域と、を備える前記内径遷移部と、を備え、
前記第１の層は、第１の実質的一定厚さを有し、
前記第２の層は、前記第１の実質的一定厚さよりも薄い第２の実質的一定厚さを有し、
前記第３の層は、前記第１の実質的一定厚さ及び前記第２の実質的一定厚さよりも薄い第３の実質的一定厚さを有し、
前記内径遷移部は、前記ゴルフクラブベッドの外側から見えない、ゴルフクラブ。
【請求項１１】
前記ゴルフクラブは、ドライバであり、前記チャンファは、
約０．７５インチ乃至約４．５０インチの幅と、
約０．１５インチ乃至約０．２５インチの長さと、
約０．０９５インチ乃至約０．１５０インチの最大厚さと、を有し、
前記最大厚さは、前記チャンファの内面と外面との間で測定される、請求項１０に記載のゴルフクラブ。
【請求項１２】
前記ゴルフクラブは、フェアウェイウッドであり、前記チャンファは、
約０．７５インチ乃至約３．５０インチの幅と、
約０．０５インチ乃至約０．２５インチの長さと、
約０．０２５インチ乃至約０．０７０インチの最大厚さと、を有し、
前記最大厚さは、前記チャンファの内面と外面との間で測定される、請求項１０に記載のゴルフクラブ。
【請求項１３】
前記チャンファに隣接する部分で測定される前記クラウンの厚さに対する前記最大厚さの比率は、約１．１５乃至３．００である、請求項１１に記載のゴルフクラブ。
【請求項１４】
前記チャンファに隣接する部分で測定される前記クラウンの厚さに対する前記最大厚さの比率は、約１．１５乃至４．００である、請求項１２に記載のゴルフクラブ。
【請求項１５】
前記打撃フェースは、ロフト面を画定し、前記ヒンジ点は、垂直方向に少なくとも約０．１６インチだけ前記ロフト面から離間されている、請求項１０から１４のいずれか一項に記載のゴルフクラブ。
【請求項１６】
前記チャンファは、前記チャンファの前記内面に接する平面を画定し、前記チャンファ面とロフト面との間の角度は、約４５°である、請求項１０から１５のいずれか一項に記載のゴルフクラブ。
【請求項１７】
前記チャンファがないクラブヘッドに比べて、インパクト時のゴルフボールのスピンが２００乃至４００ｒｐｍ低減される、請求項１０から１６のいずれか一項に記載のゴルフクラブ。
【請求項１８】
前記打撃フェースの表面粗さは、１１０Ｒａ乃至１９０Ｒａである、請求項１０から１７のいずれか一項に記載のゴルフクラブ。
【請求項１９】
ゴルフクラブヘッドを製造する方法であって、
ボディを準備する工程であって、前記ボディは、
打撃フェースを有するフロント部と、
ヒール部と、
前記ヒール部の反対側のトウ部と、
ソール部と、
リア部と、
クラウン部と、
前記フロント部と前記クラウン部との間に延び、内面及び外面を有し、前記クラウン部のヒンジ点を画定するチャンファと、
前記打撃フェースから前記ソール部に向かう内径遷移部であって、
前記打撃フェースに隣接する第１の層と、
前記第１の層に隣接する第２の層と、
前記第２の層に隣接する第３の層と、
前記第１の層と前記第２の層の間に位置する第１の層遷移領域と、
前記第２の層と前記第３の層の間に位置する第２の層遷移領域と、を備える前記内径遷移部と、を備え、
前記第１の層は、第１の実質的一定厚さを有し、
前記第２の層は、前記第１の実質的一定厚さよりも薄い第２の実質的一定厚さを有し、
前記第３の層は、前記第１の実質的一定厚さ及び前記第２の実質的一定厚さよりも薄い第３の実質的一定厚さを有し、
前記内径遷移部は、前記ゴルフクラブベッドの外側から見えない、方法。